(57)【特許請求の範囲】
【請求項１】
液体を収容する湯沸かし容器と、前記液体を加熱する加熱手段と、湯沸かし容器へ供給するための液体を収容する貯水タンクと、前記湯沸かし容器を覆う蓋体と、前記蓋体に設けられた蒸気を器体外部に放出する蒸気口と、前記貯水タンクより前記湯沸かし容器に給水する給水路とを備え、前記湯沸かし容器に所定量以上給水された場合に前記蒸気口より液体が流出し貯水タンクに帰還するようにした電気湯沸かし器。
【請求項２】
蒸気口は、液体を器体外に導出する導出路の最高位より下方に設けた請求項１に記載の電気湯沸かし器。
【請求項３】
蒸気口は、貯水タンクの満水位置より上方に設けた請求項１に記載の電気湯沸かし器。
【発明の詳細な説明】
【０００１】
【発明の属する技術分野】
本発明は、容器内の液体を加熱、保温し、器体外へ導出する電気湯沸かし器に関するものである。
【０００２】
【従来の技術】
従来、この種の電気湯沸かし器、すなわちジャーポットは、一般家庭でよく使用されているとおり、湯沸かし容器に収容された液体を加熱手段で加熱して湯を沸かし、これを一定温度で保温し、必要なときにはポンプを駆動して湯を器体外へ導出して使用するものである。そして湯沸かし容器への給水は、湯沸かし容器を覆う蓋体を開けて熱湯中に液体を注ぎ足すものであった。
【０００３】
【発明が解決しようとする課題】
しかしながら、前記従来の構成では、給水規定以上に湯沸かし容器に液体を給水し収容してしまうことがあり、この場合、湯沸かし終了後に必要以上の量を保温することになって電力を浪費していた。また湯沸かし容器に給水する場合には、蓋体を開けて熱湯中に液体を注ぐ必要があり、手間な上に火傷防止などの注意が必要であった。
【０００４】
本発明は、前記課題を解決するもので、必要量の液体のみを湯沸かし容器にて加熱・保温することで消費電力を低減し、さらに給水時は熱水や蒸気に対する注意が不要な電気湯沸かし器を提供することを目的とする。
【０００５】
【課題を解決するための手段】
前記目的を達成するために、本発明の電気湯沸かし器は、液体を収容する湯沸かし容器と、前記液体を加熱する加熱手段と、湯沸かし容器へ供給するための液体を収容する貯水タンクと、前記湯沸かし容器を覆う蓋体と、前記蓋体に設けられた蒸気を器体外部に放出する蒸気口と、前記貯水タンクより前記湯沸かし容器に給水する給水路とを備え、前記湯沸かし容器に所定量以上給水された場合に前記蒸気口より液体が流出し貯水タンクに帰還するようにしたものである。
【０００６】
これにより、必要量の液体のみを湯沸かし容器にて加熱・保温し、必要量以外は貯水タンクに備蓄することで消費電力を低減し、また給水は貯水タンクに行うことで熱水や蒸気に対する注意が不要となる。
【０００７】
【発明の実施の形態】
請求項１に記載の発明は、液体を収容する湯沸かし容器と、前記液体を加熱する加熱手段と、湯沸かし容器へ供給するための液体を収容する貯水タンクと、前記湯沸かし容器を覆う蓋体と、前記蓋体に設けられた蒸気を器体外部に放出する蒸気口と、前記貯水タンクより前記湯沸かし容器に給水する給水路とを備え、前記湯沸かし容器に所定量以上給水された場合に前記蒸気口より液体が流出し貯水タンクに帰還するようにした電気湯沸かし器とすることにより、湯沸かし容器に所定量以上給水された液体を蒸気口を通してスムーズに貯水タンク側に戻すことが可能になる。
【０００８】
請求項２に記載の発明は、蒸気口は、液体を器体外に導出する導出路の最高位より下方に設けた電気湯沸かし器とすることにより、湯沸かし容器に所定量以上給水された液体をスムーズに貯水タンク側に戻すことが可能になる。
【０００９】
請求項３に記載の発明は、蒸気口は、貯水タンクの満水位置より上方に設けた電気湯沸かし器とすることにより、湯沸かし容器に所定量以上給水された液体をスムーズに貯水タンク側に戻すことが可能になる。
【００１０】
【実施例】
以下、本発明の実施例について、図を参照しながら説明する。
【００１１】
（参考例１）
本発明の参考例１について、図１を参照しながら説明する。図に示すとおり、湯沸かし容器１に収容されている液体２は、湯沸かし容器１の底部に設けた加熱手段である発熱体３により所定温度まで加熱される。所定温度まで加熱された液体２は導出手段であるポンプ１０によって導出路１１を通り導出口１２より器体外へ導かれる。湯沸かし容器１の上部開口部は蓋体５で覆われており、蓋体５には湯沸かし容器１内で発生した蒸気を器体外部に導く蒸気口５ａを設けている。
【００１２】
湯沸かし容器１の液体２が一定量まで低下すると、湯沸かし容器１と併設された貯水タンク２０に収容されている液体２が給水路２１を通り、給水口２２より一定量自動的に追加される。追加される液体は断続的もしくは連続的に所定の量まで注がれる。湯沸かし容器１の上方に貯水タンク２０が配置されている場合以外は、給水路２１中に給水手段である給水ポンプ２３を設ける必要がある。貯水タンク２０は湯沸かし容器１側に対して着脱可能としている。ポンプ１０および給水ポンプ２３の駆動は、制御手段である制御部４で行われ、制御部４は湯沸かし容器１もしくは導出路１１に設けられた水位センサー１３によって検知した液量に応じて必要量まで給水ポンプ２３を駆動させる。制御部４は液量に応じて一定時間、給水ポンプ２３を駆動させてもよい。
【００１３】
湯沸かし容器１の上方に貯水タンク２０が配置されている場合は、給水ポンプ２３でなく給水弁が必要となる。湯沸かし容器１の満水位置１ａ、すなわち満水位置１ａと同一高さもしくはそれの近傍の上方には液体を湯沸かし容器１より排出する排水口２５を設け、排出口２５に達した液体は排水路２４を通して貯水タンク２０に帰還させる。給水口２２と排水口２５は一体もしくは同一部品によって構成され、給水口２２は排水口２５の上方に位置させる方がよい。
【００１４】
以上のような構成であれば、直ちに必要な液体２のみを湯沸かし容器１に収容して湯沸かし・保温を行い、予備タンクである貯水タンク２０には今後湯沸かしを行う液体を貯蔵するので、消費電力を低減し、また給水は貯水タンク２０に行うことで熱水や蒸気に対する注意が不要となり、また湯沸かし容器１に所定量以上給水されることをなくすことが可能になる。すなわち、貯水タンク２０から湯沸かし容器１への給水時に満水位置１ａを超えると、排水口２５から排水路２４を通り湯沸かし容器１から貯水タンク２０へ戻ることで、導出口１２や蒸気口５ａから液体２の排出を防止でき、給水は貯水タンク２０に行うことで、熱水や蒸気に対する注意が不要となる。
【００１５】
（参考例２）
本発明の参考例２について、図１を参照しながら説明する。給水路２１の湯沸かし容器１の側面に接続した給水口２２は、貯水タンク２０の満水位置２０ａより上方に設けた。また貯水タンク２０の満水位置２０ａは、湯沸かし容器１の満水位置１ａより下方にあり、給水口２２は湯沸かし容器１の満水位置１ａより上方にある。
【００１６】
以上のような構成であれば、貯水タンク２０から湯沸かし容器１に液体２が給水される場合に、いかなる場合においてもサイフォン現象により連続的に給水が行われることを防止する効果が得られる。
【００１７】
（参考例３）
本発明の参考例３について、図１を参照しながら説明する。排水路２４の湯沸かし容器１の側面に接続した排水口２５は、湯沸かし容器１の満水位置１ａより上方に設けた。そして、排水路２４の排水口２５と異なる端面は、貯水タンク２０または給水路２１または器体外につながっている。
【００１８】
以上のような構成であれば、貯水タンク２０から湯沸かし容器１に液体２が給水される場合に、いかなる場合においても湯沸かし容器１に所定量の液体を貯蔵でき、給水過剰による溢水を防止する効果が得られる。
【００１９】
（参考例４）
本発明の参考例４について、図１を参照しながら説明する。給水路２１には送水するための給水手段である給水ポンプ２３を設け、給水ポンプ２３と貯水タンク２０の間と、湯沸かし容器１を排水路２４で接続し、排水路２４の湯沸かし容器１の側面である排水口２５は湯沸かし容器１の満水位置１ａに設けた。
【００２０】
本実施例では給水ポンプ２３と貯水タンク２０の間に排水路２４を接続しているが、給水ポンプ２３もしくは給水路２１など、給水手段を含む給水路系に接続してもよい。
【００２１】
以上のような構成であれば、貯水タンク２０から湯沸かし容器１に液体２が給水される場合に、所定量を超えて湯沸かし容器１に給水した場合にも、液体２は排水路２４を通り貯水タンク２０にスムーズに帰還でき、いかなる場合においても湯沸かし容器１に所定量の液体を貯蔵でき、給水過剰による溢水を防止する効果が得られる。
【００２２】
（参考例５）
本発明の参考例５について、図１を参照しながら説明する。湯沸かし容器１の満水位置１ａを貯水タンク２０の満水位置２０ａの上方に設けているものである。
【００２３】
以上のような構成であれば、貯水タンク２０から湯沸かし容器１に液体２が給水される場合に、所定量を超えて湯沸かし容器１に給水した場合にも、液体２は排水路２４を通り貯水タンク２０にスムーズに帰還でき、いかなる場合においても湯沸かし容器１に所定量の液体を貯蔵でき、給水過剰による溢水を防止する効果が得られる。
【００２４】
（参考例６）
本発明の参考例６について、図１を参照しながら説明する。排出口２５は導出路１１の最高位と蓋体５の蒸気口５ａより下方に設ける。また排水路２４の最高位は導出路１１の最高位と蓋体５の蒸気口５ａより下方に設ける。
【００２５】
以上のような構成であれば、貯水タンク２０から湯沸かし容器１に液体２が給水され、所定量を超えて湯沸かし容器１に給水した場合にも、液体２は蒸気口５ａや導出口１２から溢水せずに排水路２４を通り貯水タンク２０にスムーズに帰還でき、いかなる場合においても湯沸かし容器１に所定量の液体を貯蔵でき給水過剰による溢水を防止する効果が得られる。
【００２６】
（参考例７）
本発明の参考例７について、図２を参照しながら説明する。湯沸かし容器１の満水位置１ａを貯水タンク２０の満水位置２０ａの上方に設け、湯沸かし容器１と貯水タンク２０のそれぞれの満水位置より上方を排水路２４で接続する。なお、排水路２４中に湯沸かし容器１から貯水タンク２０への液体の流れのみ可能にする弁を設けるのであれば、排水路２４はどの位置に接続してもかまわない。
【００２７】
以上のような構成であれば、貯水タンク２０から湯沸かし容器１に液体２が給水される場合に、所定量を超えて湯沸かし容器１に給水した場合にも液体２は排水路２４を通り貯水タンク２０にスムーズに帰還でき、いかなる場合においても湯沸かし容器１に所定量の液体を貯蔵でき、給水過剰による溢水を防止する効果が得られる。
【００２８】
（参考例８）
本発明の参考例８について、図１を参照しながら説明する。湯沸かし容器１に設けた排出口２５は、液体２を器体外に導出する導出路１１の端面である導出口１２より下方に設けた。また導出路１１の最上部を排出口２５より上方に設けた。
【００２９】
以上のような構成であれば、いかなる場合においても、液体２を導出後、サイフォン現象で連続的に導出が行われることを防止する効果が得られる。
【００３０】
（実施例１）
本発明の実施例１について、図３を参照しながら説明する。沸かし容器１に収容されている液体２は、加熱手段である発熱体３により所定温度まで加熱される。所定温度まで加熱された液体２は、導出手段であるポンプ１０によって導出路１１を通り導出口１２より器体外へ導かれる。湯沸かし容器１の上部開口部は蓋体５で覆われており、蓋体５には湯沸かし容器１内で発生した蒸気を器体外部に導く蒸気口５ａを設けている。湯沸かし容器１の液体２が一定量まで低下すると、貯水タンク２０に収容されている液体２が給水路２１を通り給水口２２より一定量追加される。追加される液体は断続的もしくは連続的に所定の量まで注がれる。
【００３１】
湯沸かし容器１の上方に貯水タンク２０が配置されている以外は、給水路２１中に給水手段である給水ポンプ２３を設ける必要がある。蒸気を器体外部に放出する蒸気口５ａより下部位置の貯水タンク２０には取水口２０ｂを設けてあり、湯沸かし容器１が満水になり蒸気口５ａより液体２が排出され貯水タンク２０の取水口２０ａに再び戻る構成としている。
【００３２】
以上の構成により、直ちに必要な液体２を湯沸かし容器１で湯沸かし・保温を行い、予備タンクである貯水タンク２０に今後湯沸かしを行う液体を貯蔵することで、消費電力を低減し、また給水は貯水タンク２０に行うことで、熱水や蒸気に対する注意が不要となり、また湯沸かし容器１に所定量以上給水されることをなくすことが可能になる。さらにいかなる場合においても湯沸かし容器１が溢水状態になった時においても器対外に溢水を防止する効果が得られる。
【００３３】
（実施例２）
本発明の実施例２について、図３を参照しながら説明する。蒸気口５ａは導出路１１の最高位より下方に設けたものである。
【００３４】
以上の構成により、湯沸かし容器１が溢水状態になった時においても、蒸気口５ａより液体が排出され貯水タンク２０に戻ることで、導出口１２からの溢水を防止する効果が得られる。
【００３５】
（実施例３）
本発明の実施例３について、図３を参照しながら説明する。蒸気口５ａは貯水タンク２０の満水位置２０ａより上方に設けたものである。
【００３６】
以上の構成により、いかなる場合においても、湯沸かし容器１が溢水状態になった時に蒸気口５ａから排出された液体２は給水タンク２０に戻り、器対外への溢水を防止する効果が得られる。
【００３７】
【発明の効果】
以上のように、請求項１〜３に記載の発明によれば、必要量の液体のみを湯沸かし容器にて加熱・保温することで消費電力を低減し、さらに給水時は貯水タンクに行うことで熱水や蒸気に対する注意が不要な電気湯沸かし器を提供することができる。
【図面の簡単な説明】
【図１】  本発明の参考例１〜６、８における電気湯沸かし器の縦断面図
【図２】  本発明の参考例７における電気湯沸かし器の縦断面図
【図３】  本発明の実施例１〜３における電気湯沸かし器の縦断面図
【符号の説明】
１  湯沸かし容器
１ａ  満水位置
２  液体
３  発熱体
４  制御部
５  蓋体
５ａ  蒸気口
１０  ポンプ
１１  導出路
１２  導出口
１３  水位センサー
２０  貯水タンク
２０ａ  満水位置
２０ｂ  取水口
２１  給水路
２２  給水口
２３  給水ポンプ
２４  排水路
２５  排水口
【図１】
0003649187.tif 000002
【図２】
0003649187.tif 000003
【図３】
0003649187.tif 000004